(57)【要約】【課題】移動局のバッテリ消費を低減可能な無線通信システムを得ること。【解決手段】本発明の無線通信システムは、移動局１を収容した基地局２が、基地局制御装置３から送られてくる移動局１宛てのデータの送信方法を決定し、当該データ送信方法を制御信号に含ませて移動局１に対して送信し、さらに移動局１宛てのデータを当該データ送信方法で送信する無線通信システムであって、移動局１は、自装置宛データのデータ量に基づいて制御信号の監視方法を決定し、当該制御信号の監視方法を基地局２へ通知する監視方法決定手段（制御部１１，スケジューラ１２，ＨＳ−ＳＣＣＨ受信処理部１５，ＨＳ−ＤＰＣＣＨ送信処理部２１に相当）と、決定した監視方法で制御信号を監視する監視制御手段（制御部１１，スケジューラ１２に相当）と、を備える構成とした。【選択図】      図５
2004289234.tif 000002
【特許請求の範囲】
【請求項１】
単一または複数の移動局を収容した基地局が、基地局制御装置から送られてくる前記各移動局宛てのデータの送信方法を個別に決定し、当該データ送信方法を制御信号に含ませて前記各移動局に対して送信し、さらに前記各移動局宛てのデータを当該データ送信方法で送信する無線通信システムにおいて、
前記各移動局は、
自装置宛データのデータ量に基づいて制御信号の監視方法を決定し、当該制御信号の監視方法を前記基地局へ通知する監視方法決定手段と、
決定した監視方法で制御信号を監視する監視制御手段と、
を備えることを特徴とする無線通信システム。
【請求項２】
単一または複数の移動局を収容した基地局が、基地局制御装置から送られてくる前記各移動局宛てのデータの送信方法を個別に決定し、当該データ送信方法を制御信号に含ませて前記各移動局に対して送信し、さらに前記各移動局宛てのデータを当該データ送信方法で送信する無線通信システムにおいて、
前記基地局は、
前記各移動局宛データのデータ量に基づいて前記各移動局による制御信号の監視方法を個別に決定し、当該制御信号の監視方法を前記各移動局へ通知する監視方法決定手段、
を備え、
前記各移動局は、
前記基地局から通知される監視方法で制御信号を監視する監視制御手段、
を備えることを特徴とする無線通信システム。
【請求項３】
単一または複数の移動局を収容した基地局が、基地局制御装置から送られてくる前記各移動局宛てのデータの送信方法を個別に決定し、当該データ送信方法を制御信号に含ませて前記各移動局に対して送信し、さらに前記各移動局宛てのデータを当該データ送信方法で送信する無線通信システムにおいて、
前記基地局制御装置は、
前記各移動局宛データのデータ量に基づいて前記各移動局による制御信号の監視方法を個別に決定し、当該制御信号の監視方法を、前記基地局を介して前記各移動局へ通知する監視方法決定手段、
を備え、
前記各移動局は、
前記基地局制御装置から前記基地局を介して通知される監視方法で制御信号を監視する監視制御手段、
を備えることを特徴とする無線通信システム。
【請求項４】
前記監視方法決定手段は、前記データ量が所定のしきい値以上の場合に、前記制御信号の監視方法を「常時監視」とし、一方で、前記所定のしきい値以下の場合に、前記制御信号の監視方法を「間欠監視（監視周期の決定を含む）」とすることを特徴とする請求項１、２または３に記載の無線通信システム。
【請求項５】
前記基地局は、前記制御信号の監視方法に基づいて、前記移動局宛てにデータを送信するかどうかを判断し、現在のタイミングが監視区間の場合に前記移動局宛てにデータを送信することを特徴とする請求項１〜４のいずれか一つに記載の無線通信システム。
【請求項６】
基地局で決定されたデータ送信方法が含まれた制御信号と、当該データ送信方法で送られてくるデータと、を受信する移動局において、
自装置宛データのデータ量に基づいて制御信号の監視方法を決定し、当該制御信号の監視方法を前記基地局へ通知する監視方法決定手段と、
決定した監視方法で制御信号を監視する監視制御手段、
を備えることを特徴とする移動局。
【請求項７】
基地局で決定されたデータ送信方法が含まれた制御信号と、当該データ送信方法で送られてくるデータと、を受信する移動局において、
前記基地局から通知される監視方法で制御信号を監視する監視制御手段、
を備えることを特徴とする移動局。
【請求項８】
基地局制御装置から送られてくる各移動局宛てのデータの送信方法を個別に決定し、当該データ送信方法を制御信号に含ませて前記各移動局に対して送信し、さらに前記各移動局宛てのデータを当該データ送信方法で送信する基地局において、
前記各移動局宛データのデータ量に基づいて前記各移動局による制御信号の監視方法を個別に決定し、当該制御信号の監視方法を前記各移動局へ通知する監視方法決定手段、
を備えることを特徴とする基地局。
【請求項９】
前記制御信号の監視方法に基づいて、前記移動局宛てにデータを送信するかどうかを判断し、現在のタイミングが監視区間の場合に前記移動局宛てにデータを送信することを特徴とする請求項８に記載の基地局。
【請求項１０】
単一または複数の移動局宛てのデータを、当該各移動局を収容する基地局に対して送信する基地局制御装置において、
前記各移動局宛データのデータ量に基づいて、前記移動局毎に、データ送信方法が含まれた制御信号の監視方法を決定し、当該制御信号の監視方法を、前記基地局を介して前記各移動局へ通知する監視方法決定手段、
を備えることを特徴とする基地局制御装置。
【発明の詳細な説明】
【０００１】
【発明の属する技術分野】
本発明は、通信方式としてＣＤＭＡ（Ｃｏｄｅ  Ｄｉｖｉｓｉｏｎ  Ｍｕｌｔｉｐｌｅ  Ａｃｃｅｓｓ）方式を採用する無線通信システムに関するものであり、特に、下り方向に、高速なパケットデータ伝送を実現するＨＳＤＰＡ（Ｈｉｇｈ−Ｓｐｅｅｄ  Ｄｏｗｎｌｉｎｋ  Ｐａｃｋｅｔ  Ａｃｃｅｓｓ）を採用する無線通信システムに関するものである。
【０００２】
【従来の技術】
以下、従来の無線通信システムについて説明する。従来の無線通信システムの移動局（特許文献１参照）は、電源制御部と広帯域波受信回路と中帯域波受信回路と狭帯域波受信回路と各回路に接続された無線アンテナとを含む構成とし、上記電源制御部は、狭帯域波受信回路からの制御信号により、広帯域波受信回路と中帯域波受信回路の電源をオンオフしている。
【０００３】
ここで、上記従来の無線通信システムにおける移動局の動作を具体的に説明する。なお、待ち受け時には、広帯域波受信回路と中帯域波受信回路の電源をオフにしておき、狭帯域波受信回路のみ電源をオンにする。
【０００４】
狭帯域波受信回路では、狭帯域波用の無線アンテナで受信した信号に含まれる情報に基づいて、必要な帯域を判断し、広帯域波受信回路または中帯域波受信回路の電源をオンにするための制御信号を電源制御部へ送信する。そして、電源制御部から電源オンの制御信号を受け取った広帯域波受信回路または中帯域波受信回路では、電源をオン状態とし、対応する無線アンテナでデータ受信を開始する。その後、データ受信が終了すると、広帯域波受信回路または中帯域波受信回路では、再び電源をオフ状態にする。
【０００５】
【特許文献１】
特開２００２−１３５２０３号公報（図１２）
【０００６】
【発明が解決しようとする課題】
しかしながら、上記、従来の無線通信システムを構成する移動局において、広帯域波受信回路と中帯域波受信回路は、狭帯域波受信回路からの制御信号がなければ電源オンの状態に移行することができない。そのため、狭帯域波受信回路は、上記制御信号を生成するために、常に電源オンの状態を保持することが必要となる。このように、従来の構成では、狭帯域波受信回路を動作させるためのバッテリが消費され続けるので、移動局としての消費電力が増大する、という問題があった。
【０００７】
本発明は、上記に鑑みてなされたものであって、移動局のバッテリ消費を低減可能な無線通信システムを得ることを目的とする。
【０００８】
【課題を解決するための手段】
上述した課題を解決し、目的を達成するために、本発明にかかる無線通信システムにあっては、単一または複数の移動局を収容した基地局が、基地局制御装置から送られてくる前記各移動局宛てのデータの送信方法を個別に決定し、当該データ送信方法を制御信号に含ませて前記各移動局に対して送信し、さらに前記各移動局宛てのデータを当該データ送信方法で送信する無線通信システムであって、前記各移動局は、自装置宛データのデータ量に基づいて制御信号の監視方法を決定し、当該制御信号の監視方法を前記基地局へ通知する監視方法決定手段（後述する実施の形態の制御部１１，スケジューラ１２，ＨＳ−ＳＣＣＨ受信処理部１５，ＨＳ−ＤＰＣＣＨ送信処理部２１に相当）と、決定した監視方法で制御信号を監視する監視制御手段（制御部１１，スケジューラ１２に相当）と、を備えることを特徴とする。
【０００９】
この発明によれば、データ量に応じて、たとえば、ＨＳ−ＳＣＣＨの監視方法を切り替えることによって、移動局におけるＨＳ−ＳＣＣＨの監視処理を減らし、移動局のバッテリ消費を抑える。
【００１０】
つぎの発明にかかる無線通信システムにあっては、単一または複数の移動局を収容した基地局が、基地局制御装置から送られてくる前記各移動局宛てのデータの送信方法を個別に決定し、当該データ送信方法を制御信号に含ませて前記各移動局に対して送信し、さらに前記各移動局宛てのデータを当該データ送信方法で送信する無線通信システムであって、前記基地局は、前記各移動局宛データのデータ量に基づいて前記各移動局による制御信号の監視方法を個別に決定し、当該制御信号の監視方法を前記各移動局へ通知する監視方法決定手段（制御部３１，スケジューラ３２，キュー管理部３４，ＨＳ−ＳＣＣＨデータ生成部３６に相当）、を備え、前記各移動局は、前記基地局から通知される監視方法で制御信号を監視する監視制御手段（制御部１１，スケジューラ１２，ＨＳ−ＳＣＣＨ受信処理部１５に相当）、を備えることを特徴とする。
【００１１】
この発明によれば、基地局が、たとえば、ＨＳ−ＳＣＣＨの監視方法を決定することによって、移動局のバッテリ消費を抑える。
【００１２】
つぎの発明にかかる無線通信システムにあっては、単一または複数の移動局を収容した基地局が、基地局制御装置から送られてくる前記各移動局宛てのデータの送信方法を個別に決定し、当該データ送信方法を制御信号に含ませて前記各移動局に対して送信し、さらに前記各移動局宛てのデータを当該データ送信方法で送信する無線通信システムであって、前記基地局制御装置は、前記各移動局宛データのデータ量に基づいて前記各移動局による制御信号の監視方法を個別に決定し、当該制御信号の監視方法を、前記基地局を介して前記各移動局へ通知する監視方法決定手段（基地局インタフェース部４２に相当）、を備え、前記各移動局は、前記基地局制御装置から前記基地局を介して通知される監視方法で制御信号を監視する監視制御手段（制御部１１，スケジューラ１２，ＨＳ−ＳＣＣＨ受信処理部１５に相当）、を備えることを特徴とする。
【００１３】
この発明によれば、基地局制御装置が、たとえば、ＨＳ−ＳＣＣＨの監視方法を決定することによって、移動局のバッテリ消費を抑える。
【００１４】
【発明の実施の形態】
以下に、本発明にかかる無線通信システム、移動局、基地局および基地局制御装置の実施の形態を図面に基づいて詳細に説明する。なお、この実施の形態によりこの発明が限定されるものではない。
【００１５】
実施の形態１．
図１は、本発明にかかる無線通信システムのネットワーク構成例を示す図であり、このシステムは、移動局１と基地局２と基地局制御装置３と有線ネットワーク４と固定端末５から構成される。なお、移動局１と基地局２は無線回線で接続され、基地局２と基地局制御装置３、および基地局制御装置３と有線ネットワーク４は、有線回線で接続される。また、ここでは、説明の便宜上、移動局１と基地局２との間のデータ伝送について記載するが、基地局２にて収容される移動局は移動局１に限らず複数存在し、基地局２とすべての移動局との間で同様の処理が行われる。
【００１６】
移動局１は、基地局２との間で無線回線制御用の信号を送受することによって、たとえば、有線ネットワーク４に接続された固定端末５と通信を行う。基地局２は、基地局制御装置３との間で主に無線回線制御用の信号を送受し、移動局１との間の無線回線を終端する。
【００１７】
ここで、本実施の形態の特徴的な動作を説明する前に、ＨＳＤＰＡの概念について説明する。図２は、ＨＳＤＰＡにおける、基地局２から移動局１へのデータ伝送処理を示す図である。詳細には、図２（ａ）はＨＳＤＰＡにおけるＨＳ−ＳＣＣＨ（制御用通信チャネル）を示し、図２（ｂ）はＨＳＤＰＡにおけるＨＳ−ＰＤＳＣＨ（データ転送用通信チャネル）を示している。ＨＳ−ＳＣＣＨ，ＨＳ−ＰＤＳＣＨは、全移動局共用で使用されるチャネルである。
【００１８】
なお、図２の横軸は時間であり、制御信号１０１ａ〜１０１ｇは、それぞれ対応する移動局宛ての制御信号であり、データ１０２ａ〜１０２ｇは、それぞれ対応する移動局宛てのデータである。また、網掛けの種類は、宛先（移動局）が異なることを表している。たとえば、制御信号１０１ａと制御信号１０１ｆは同一移動局宛ての制御信号であり、制御信号１０１ｄと制御信号１０１ｇは、同一移動局宛ての、異なる拡散コードで拡散された制御信号である。また、データ１０２ａは、制御信号１０１ａと宛先（基地局）が同一であり、単位時間に３つの拡散コードで拡散されたデータを表している。
【００１９】
ＨＳＤＰＡでは、ＨＳ−ＳＣＣＨの制御信号により、ＨＳ−ＰＤＳＣＨを用いて送信するデータがあること、およびデータの送信方法に関する情報、を移動局に対して通知する。たとえば、移動局は、制御信号１０１ａの情報により、データ１０２ａが送信されること、およびデータ１０２ａが３つの拡散コードで拡散されていること、を認識する。
【００２０】
つづいて、本発明にかかる無線通信システムにて実行される本実施の形態のデータ伝送処理（ＨＳＤＰＡ）の概念を説明する。図３は、本実施の形態のデータ伝送処理の概念を示す図である。詳細には、図３（ａ）はＨＳＤＰＡにおけるＨＳ−ＳＣＣＨを示し、図３（ｂ）はＨＳＤＰＡにおけるＨＳ−ＰＤＳＣＨを示している。また、制御信号１１１ａ〜１１１ｃは、同一の移動局１に対する制御信号を表し、データ１１２ａ〜１１２ｃは、同一の移動局１に対するデータを表す。また、区間１１３ａ〜１１３ｃは、移動局１がＨＳ−ＳＣＣＨを監視する区間を表し、区間１１４ａ〜１１４ｂはＨＳ−ＳＣＣＨを監視しない区間を表す。
【００２１】
また、ＨＳＤＰＡにおける移動局１から基地局２への上り制御用通信チャネルは、ＨＳ−ＤＰＣＣＨと呼ばれ、移動局毎に異なるチャネルを使用する。図４は、ＨＳ−ＤＰＣＣＨのパケットフォーマットを示す図であり、ＨＳ−ＤＰＣＣＨのパケットは、移動局１によるＨＳ−ＳＣＣＨの監視方法に関する情報を格納したＨＳ−ＳＣＣＨ監視情報部１２１と、再送制御情報および品質に関する情報を格納した再送制御／品質情報部１２２、から構成される。
【００２２】
つづいて、本実施の形態の無線通信システムにて実行される上記データ伝送処理を、図面を用いて詳細に説明する。ここでは、本実施の形態のデータ伝送処理において、特徴となる処理を実行する移動局１と基地局２の構成および動作について説明する。
【００２３】
図５は、本発明にかかる移動局１の構成を示す図である。移動局１は、移動局１内の各部を制御する制御部１１と、ＨＳ−ＳＣＣＨの監視方法を制御するスケジューラ１２と、電波を受信する無線受信部１３と、無線電波から信号を抽出する復調部１４と、ＨＳ−ＳＣＣＨの制御信号の受信処理を実行するＨＳ−ＳＣＣＨ受信処理部１５と、ＨＳ−ＰＤＳＣＨのデータの受信処理を行うＨＳ−ＰＤＳＣＨ受信処理部１６と、基地局２との間で誤りなくデータ通信を行うための再送制御部１７と、誤り訂正後のデータを受信するデータ受信部１８と、無線伝送路へ電波を送信する無線送信部１９と、ＨＳ−ＤＰＣＣＨへ送信するデータを変調する変調部２０と、ＨＳ−ＤＰＣＣＨへ送信するデータを生成するＨＳ−ＤＰＣＣＨ送信処理部２１から構成される。
【００２４】
また、図６は、本発明にかかる基地局２の構成を示す図である。基地局２は、基地局２内の各部を制御する制御部３１と、ＨＳ−ＰＤＳＣＨへのデータの送信およびＨＳ−ＳＣＣＨへの制御信号の送信を制御するスケジューラ３２と、基地局制御装置３との間の通信を制御する有線伝送路制御部３３と、移動局１宛てのデータを保持するキュー管理部３４と、移動局１との間で誤りなくデータ通信を行うための再送制御部３５と、ＨＳ−ＳＣＣＨへの制御信号を生成するＨＳ−ＳＣＣＨデータ生成部３６と、基地局制御装置３から受信する移動局１宛てのデータをＨＳ−ＰＤＳＣＨのデータに変換するＨＳ−ＰＤＳＣＨデータ生成部３７と、制御信号およびデータを変調する変調部３８と、変調信号を搬送波周波数で送信する無線送信部３９から構成される。
【００２５】
まず、基地局２では、基地局制御装置３から移動局１宛てのデータを受信した場合、有線伝送路制御部３３の制御でデータをキュー管理部３４に記憶する。スケジューラ３２では、キュー管理部３４に保持されたデータを監視する。そして、移動局１に対するデータ送信時に、データ送信方法を決定し、キュー管理部３４，再送制御部３５，ＨＳ−ＳＣＣＨデータ生成部３６，ＨＳ−ＰＤＳＣＨデータ生成部３７，変調部３８に対してデータ送信を行うことを通知する。
【００２６】
ＨＳ−ＳＣＣＨデータ生成部３６では、移動局１宛てにデータがあること、および上記データ送信方法に関する情報、を生成し、たとえば、それらの情報が含まれた制御信号１０１ａを変調部３８および無線送信部３９を経由して送信する。また、ＨＳ−ＰＤＳＣＨデータ生成部３７では、移動局１宛てのデータを生成し、たとえば、そのデータが含まれたデータ１０２ａを変調部３８および無線送信部３９を経由して送信する。
【００２７】
一方、移動局１では、ＨＳ−ＳＣＣＨ受信処理部１５が、無線受信部１３および復調部１４を経由して受け取った復調信号から自装置宛のデータ量を測定し、その結果をスケジューラ１２へ通知する。スケジューラ１２では、一定時間内にしきい値以上のデータを受信していれば「常時監視」とし、しきい値以下ならば「間欠監視」とし、さらに間欠監視時の監視周期を決定する。監視周期は、たとえば、一定時間毎でもよいし、あるいは、パレート分布等の確率分布に従って決定してもよい。
【００２８】
また、スケジューラ１２では、ＨＳ−ＤＰＣＣＨ送信処理部２１へＨＳ−ＳＣＣＨ監視に関する情報（ＨＳ−ＳＣＣＨ監視情報）を通知する。ＨＳ−ＤＰＣＣＨ送信処理部２１では、上記ＨＳ−ＳＣＣＨ監視情報部１２１にＨＳ−ＳＣＣＨ監視情報をのせたＨＳ−ＤＰＣＣＨのパケットを生成し、それを変調部２０および無線送信部１９を経由して基地局２へ送信する。
【００２９】
また、スケジューラ１２では、制御部１１へＨＳ−ＳＣＣＨ監視情報を通知する。そして、制御部１１では、以降、指示された監視方法および周期でＨＳ−ＳＣＣＨの監視を制御する。
【００３０】
その後、基地局２では、移動局１から通知されたＨＳ−ＳＣＣＨ監視情報を制御部３１で解析し、その結果をスケジューラ３２に通知する。スケジューラ３２では、移動局１宛てにデータを送信するかどうかを、キュー管理部３４に保持されているデータ、および制御部３１から通知されるＨＳ−ＳＣＣＨ監視情報、に基づいて判断する。たとえば、移動局１へのデータがキュー管理部３４に保持された状態で、かつ送信タイミングがＨＳ−ＳＣＣＨを監視しない区間１１４ａの場合、移動局１宛てにデータ送信を行わずに、データ保持を継続するように指示する。そして、送信タイミングがＨＳ−ＳＣＣＨを監視する区間１１３ｂになった段階で、移動局１宛てにデータを送信するように指示する。
【００３１】
このように、本実施の形態においては、移動局宛てに送信されるＨＳ−ＳＣＣＨのデータ量に応じて、ＨＳ−ＳＣＣＨの監視方法を切り替えることとした。これにより、移動局におけるＨＳ−ＳＣＣＨの監視処理を減らすことができるので、移動局のバッテリ消費を抑えることができる。
【００３２】
実施の形態２．
先に説明した実施の形態１では、移動局１がＨＳ−ＳＣＣＨの監視方法を決定していたが、本実施の形態では、基地局２がＨＳ−ＳＣＣＨの監視方法を決定する場合について説明する。なお、無線通信システム、移動局および基地局の構成については、先に説明した実施の形態１と同様であるため、同一の符号を付してその説明を省略する。
【００３３】
ここで、本実施の形態の無線通信システムにて実行されるデータ伝送処理を、図面を用いて詳細に説明する。図７は、実施の形態２で用いられるＨＳ−ＳＣＣＨのパケットフォーマットを示す図である。このＨＳ−ＳＣＣＨのパケットは、移動局を識別するための移動局識別部１３１と、ＨＳ−ＳＣＣＨ監視情報部１３３と、制御情報部１３２から構成される。制御情報部１３２には、ＨＳ−ＰＤＳＣＨで送信するデータがあること、およびデータ送信方法に関する情報を移動局に伝えるための制御情報、をのせる。ただし、制御情報部１３２にはのせる情報がなくてもよい。
【００３４】
基地局２では、キュー管理部３４が、移動局１宛のＨＳ−ＳＣＣＨデータ量を測定し、先に説明した移動局１のスケジューラ１２と同様の処理で、移動局１によるＨＳ−ＳＣＣＨの監視方法（監視周期を含む）を決定し、スケジューラ３２にＨＳ−ＳＣＣＨ監視情報を通知する。現在のＨＳ−ＳＣＣＨの監視方法と異なる場合、ＨＳ−ＳＣＣＨデータ生成部３６では、ＨＳ−ＳＣＣＨ監視情報をＨＳ−ＳＣＣＨ監視情報部１３３にのせたＨＳ−ＳＣＣＨのパケット（図７参照）を生成し、それを移動局１へ送信する。なお、スケジューラ３２では、実施の形態１と同様の処理で、移動局１宛てにデータを送信するかどうかを、キュー管理部３４に保持されているデータ、およびＨＳ−ＳＣＣＨ監視情報、に基づいて判断する。
【００３５】
一方、移動局１では、制御部１１の制御により、ＨＳ−ＳＣＣＨ受信処理部１５が、ＨＳ−ＳＣＣＨのパケットを解析し、ＨＳ−ＳＣＣＨ監視情報部１３３で通知されたＨＳ−ＳＣＣＨ監視情報をスケジューラ１２へ通知する。スケジューラ１２では、ＨＳ−ＳＣＣＨ監視情報を制御部１１へ通知する。そして、制御部１１では、以降、指示された監視方法（監視周期を含む）でＨＳ−ＳＣＣＨの監視を制御する。
【００３６】
このように、本実施の形態では、基地局がＨＳ−ＳＣＣＨの監視方法を決定することとした。これにより、移動局にてデータ量を測定する必要がなくなるので、さらに移動局のバッテリ消費を抑えることができる。
【００３７】
実施の形態３．
先に説明した実施の形態１または２では、移動局１または基地局２がＨＳ−ＳＣＣＨの監視方法を決定していたが、本実施の形態では、基地局制御装置３がＨＳ−ＳＣＣＨの監視方法を決定する場合について説明する。なお、無線通信システム、移動局および基地局の構成については、先に説明した実施の形態１と同様であるため、同一の符号を付してその説明を省略する。
【００３８】
ここで、本実施の形態の無線通信システムにて実行されるデータ伝送処理を、図面を用いて詳細に説明する。図８は、本発明にかかる基地局制御装置３の構成を示す図である。この基地局制御装置は、基地局制御装置３内の各部を制御する制御部４１と、基地局２と接続するための基地局インタフェース部４２と、有線ネットワーク４と接続するための有線ネットワークインタフェース部４３と、有線ネットワーク４，制御部４１，基地局２間のデータ交換処理を行うスイッチ部４４から構成される。
【００３９】
基地局制御装置３では、基地局インタフェース部４２が、移動局１宛てデータ量を測定し、移動局１によるＨＳ−ＳＣＣＨの監視方法（監視周期を含む）を決定し、ＨＳ−ＳＣＣＨ監視情報を基地局２へ通知する。
【００４０】
基地局２では、基地局制御装置３から通知されたＨＳ−ＳＣＣＨ監視情報を制御部３１で解析し、その結果をスケジューラ３２に通知する。現在のＨＳ−ＳＣＣＨの監視方法と異なる場合、ＨＳ−ＳＣＣＨデータ生成部３６では、実施の形態２と同様の処理で、ＨＳ−ＳＣＣＨ監視情報をのせたＨＳ−ＳＣＣＨのパケット（図７参照）を生成し、それを移動局１へ送信する。なお、スケジューラ３２では、実施の形態１と同様の処理で、移動局１宛てにデータを送信するかどうかを、キュー管理部３４に保持されているデータ、およびＨＳ−ＳＣＣＨ監視情報、に基づいて判断する。
【００４１】
移動局１では、実施の形態２と同様の処理で、指示された監視方法（監視周期を含む）でＨＳ−ＳＣＣＨの監視を制御する。
【００４２】
このように、本実施の形態においては、基地局制御装置がＨＳ−ＳＣＣＨの監視方法を決定することとした。これにより、移動局にてデータ量を測定する必要がなくなるので、さらに移動局のバッテリ消費を抑えることができる。
【００４３】
【発明の効果】
以上、説明したとおり、本発明によれば、データ量に応じて、たとえば、ＨＳ−ＳＣＣＨの監視方法を切り替えることとした。これにより、移動局におけるＨＳ−ＳＣＣＨの監視処理を減らすことができるので、移動局のバッテリ消費を抑えることができる、という効果を奏する。
【図面の簡単な説明】
【図１】本発明にかかる無線通信システムのネットワーク構成例を示す図である。
【図２】基地局から移動局へのデータ伝送処理を示す図である。
【図３】データ伝送処理の概念を示す図である。
【図４】ＨＳ−ＤＰＣＣＨのパケットフォーマットを示す図である。
【図５】本発明にかかる移動局の構成を示す図である。
【図６】本発明にかかる基地局の構成を示す図である。
【図７】実施の形態２および３で用いられるＨＳ−ＳＣＣＨのパケットフォーマットを示す図である。
【図８】本発明にかかる基地局制御装置の構成を示す図である。
【符号の説明】
１  移動局、２  基地局、３  基地局制御装置、４  有線ネットワーク、５  固定端末、１１  制御部、１２  スケジューラ、１３  無線受信部、１４  復調部、１５  ＨＳ−ＳＣＣＨ受信処理部、１６  ＨＳ−ＰＤＳＣＨ受信処理部、１７  再送制御部、１８  データ受信部、１９  無線送信部、２０  変調部、２１ＨＳ−ＤＰＣＣＨ送信処理部、３１  制御部、３２  スケジューラ、３３  有線伝送路制御部、３４  キュー管理部、３５  再送制御部、３６  ＨＳ−ＳＣＣＨデータ生成部、３７  ＨＳ−ＰＤＳＣＨデータ生成部、３８  変調部、３９  無線送信部、４１  制御部、４２  基地局インタフェース部、４３  有線ネットワークインタフェース部、４４  スイッチ部。
【図１】
2004289234.tif 000003
【図２】
2004289234.tif 000004
【図３】
2004289234.tif 000005
【図４】
2004289234.tif 000006
【図５】
2004289234.tif 000007
【図６】
2004289234.tif 000008
【図７】
2004289234.tif 000009
【図８】
2004289234.tif 000010